(57)【要約】【課題】文書に書き込まれたアイデア等の情報がどの参照データを見て発案されたものかを後から確認可能に情報を記録するデータ処理装置を提供する。【解決手段】作成中の文書と参照データ３６とを表示部１１に表示した状態（Ｐ１１）で所定の操作（スタイラスペンで特定の軌跡が描かれるなど）を受けると（Ｐ１２）、その参照データの表示後に書き込まれた最新の情報の文書内での書き込み位置４２と参照データ３６とを関連付ける紐付け情報を生成し、作成された文書と生成された紐付け情報とを関連付けて記憶装置に保存する。後に文書を表示したとき、紐付け情報に基づき、文字等の情報が書き込まれた位置とその情報を書き込んだときに参照していた参照データとを線で結んで表示するなどが可能になる。【選択図】図９
2012173988.tif 000002
【特許請求の範囲】
【請求項１】
文書の作成に係る入力操作を受ける入力部と、
表示部と、
処理部と、
を備え、
前記処理部は、
作成中の文書を前記表示部に表示する機能と、
文書の作成中に参照データの指定操作を受けると、その指定された参照データを前記文書と共に前記表示部に表示する機能と、
作成中の文書と参照データとを前記表示部に表示している状態で所定の操作を受けたとき、前記参照データの表示後に前記文書に書き込まれた最新の情報の前記文書内での書き込み位置と、前記参照データとを関連付ける紐付け情報を生成する機能と、
作成された文書と前記紐付け情報とを関連付けて所定の記憶装置に保存する機能と、
を有する
ことを特徴とするデータ処理装置。
【請求項２】
前記入力部は、タブレット式の入力装置であり、
前記所定の操作は、所定の入力特性による前記入力装置への書き込み操作である
ことを特徴とする請求項１に記載のデータ処理装置。
【請求項３】
前記所定の入力特性は、ペンによる書き込み速度、太さ、色、軌跡の形状のいずれか１つもしくは複数を組み合わせた特性である
ことを特徴とする請求項２に記載のデータ処理装置。
【請求項４】
前記入力部は、操作キーをさらに備え、
前記所定の操作は、特定のキー操作もしくは特定のキー操作とタブレット式入力装置に対する特定の入力動作との組み合わせである
ことを特徴とする請求項２または３に記載のデータ処理装置。
【請求項５】
前記処理部は、参照データを表示した後に最初の前記所定の操作を受けた場合にのみ、前記紐付け情報を生成する
ことを特徴とする請求項１乃至４のいずれか１つに記載のデータ処理装置。
【請求項６】
前記処理部は、前記紐付け情報が関連付けされた文書を前記表示部に表示する際に、前記紐付け情報が示す参照データを前記表示部に表示すると共に該紐付け情報が関連付けている参照データと書き込み位置とを線で結んで表示する
ことを特徴とする請求項１乃至５のいずれか１つに記載のデータ処理装置。
【請求項７】
前記処理部は、前記紐付け情報が関連付けされた文書を前記表示部に表示する際に、前記紐付け情報が示す参照データを前記表示部に表示すると共に、前記紐付け情報が示す参照データのうちの特定の参照データは他の参照データと異なる表示態様で表示する
ことを特徴とする請求項１乃至６のいずれか１つに記載のデータ処理装置。
【請求項８】
前記処理部は、閲覧操作に応じて前記表示部に表示した参照データが、保存されている紐付け情報に含まれる参照データである場合は、該参照データを含む紐付け情報に関連付けされている文書を前記表示部に前記参照データと共に表示し、かつ前記紐付け情報で関連付けされている前記参照データと書き込み位置とを線で結んで表示する
ことを特徴とする請求項１乃至７のいずれか１つに記載のデータ処理装置。
【請求項９】
前記表示部の画面上に、入力データ表示エリアと、参照データを表示するための参照データ表示エリアとを形成し、前記入力部からの入力操作で前記入力データ表示エリアに書き込まれた文字や図形の情報を前記文書として保存する
ことを特徴とする請求項１乃至８のいずれか１つに記載のデータ処理装置。
【請求項１０】
前記書き込み位置の代わりに、前記最新の情報を使用する
ことを特徴とする請求項１乃至９のいずれか１つに記載のデータ処理装置。
【請求項１１】
前記記憶装置をさらに有する
ことを特徴とする請求項１乃至１０のいずれか１つに記載のデータ処理装置。
【請求項１２】
文書の作成に係る入力操作を受ける入力部と、
表示部と、
処理部と、
を備えたデータ処理装置に、
作成中の文書を前記表示部に表示する機能と、
文書の作成中に参照データの指定操作を受けると、その指定された参照データを前記文書と共に前記表示部に表示する機能と、
作成中の文書と参照データとを前記表示部に表示している状態で所定の操作を受けたとき、前記参照データの表示後に前記文書に書き込まれた最新の情報の前記文書内での書き込み位置と、前記参照データとを関連付ける紐付け情報を生成する機能と、
作成された文書と前記紐付け情報とを関連付けて所定の記憶装置に保存する機能と、
を実行させる
ことを特徴とするプログラム。
【請求項１３】
前記入力部は、タブレット式の入力装置であり、
前記所定の操作は、所定の入力特性による前記入力装置への書き込み操作である
ことを特徴とする請求項１２に記載のプログラム。
【請求項１４】
前記所定の入力特性は、ペンによる書き込み速度、太さ、色、軌跡の形状のいずれか１つもしくは複数を組み合わせた特性である
ことを特徴とする請求項１３に記載のプログラム。
【請求項１５】
前記入力部は、操作キーをさらに備えており、
前記所定の操作は、特定のキー操作もしくは特定のキー操作とタブレット式入力装置に対する特定の入力動作との組み合わせである
ことを特徴とする請求項１３または１４に記載のプログラム。
【請求項１６】
前記情報処理装置を、前記参照データを表示した後に最初の前記所定の操作を受けた場合にのみ、前記紐付け情報を生成するように動作させる
ことを特徴とする請求項１２乃至１５のいずれか１つに記載のプログラム。
【請求項１７】
前記情報処理装置を、
前記紐付け情報が関連付けされた文書を前記表示部に表示する際に、前記紐付け情報が示す参照データを前記表示部に表示すると共に該紐付け情報が関連付けている参照データと書き込み位置とを線で結んで表示するように動作させる
ことを特徴とする請求項１２乃至１６のいずれか１つに記載のプログラム。
【請求項１８】
前記情報処理装置を、
前記紐付け情報が関連付けされた文書を前記表示部に表示する際に、前記紐付け情報が示す参照データを前記表示部に表示すると共に、前記紐付け情報が示す参照データのうちの特定の参照データは他の参照データと異なる表示態様で表示するように動作させる
ことを特徴とする請求項１２乃至１７のいずれか１つに記載のプログラム。
【請求項１９】
前記情報処理装置を、
閲覧操作に応じて前記表示部に表示した参照データが、保存されている紐付け情報に含まれる参照データである場合は、該参照データを含む紐付け情報に関連付けされている文書を前記表示部に前記参照データと共に表示し、かつ前記紐付け情報で関連付けされている前記参照データと書き込み位置とを線で結んで表示する
ことを特徴とする請求項１２乃至１８のいずれか１つに記載のプログラム。
【請求項２０】
前記情報処理装置を、
前記表示部の画面上に、入力データ表示エリアと、参照データを表示するための参照データ表示エリアとを形成し、前記入力部からの入力操作で前記入力データ表示エリアに書き込まれた文字や図形の情報を前記文書として保存するように動作させる
ことを特徴とする請求項１２乃至１９のいずれか１つに記載のプログラム。
【請求項２１】
前記書き込み位置の代わりに、前記最新の情報を使用する
ことを特徴とする請求項１２乃至２０のいずれか１つに記載のプログラム。
【発明の詳細な説明】
【技術分野】
【０００１】
本発明は、書き込まれた文字・図形などの情報を記録するデータ処理装置に関する。
【背景技術】
【０００２】
書き込まれた文字・図形などの情報を記録するタブレット式デバイスなどのデータ処理装置を使用して、新たなアイデアを文書にまとめていくといった作業では、資料を参照しながらアイデア出しを行うことがよくある。そのような場合、出来上がった文書には最終的なアイデアは記録されるが、どの資料を参照していたかについてまでの記録は残らない。
【０００３】
このため、アイデアをより発展させる等のために、アイデアが発想されたときにどのような資料を参照していたかを後に知りたい、といった要請に応えることはできなかった。
【０００４】
作業過程の記録を残す技術の例としては、たとえば、ページオブジェクトの描画を行う電子会議システムにおいて、すべての描画履歴を記録するものがある。このシステムでは、後に、検索キーとなる描画情報が入力されると、該描画情報と一致するオブジェクトの描かれたページを描画履歴に基づいて再現し、その時の会議状態の把握を可能にすると共に、その再現した会議画面状態から別の画面への遷移を可能にしている（たとえば、特許文献１参照。）。
【先行技術文献】
【特許文献】
【０００５】
【特許文献１】特開２００８−１０２６１３号公報
【発明の概要】
【発明が解決しようとする課題】
【０００６】
特許文献１に開示された電子会議システムのように、作業過程の全ての履歴を記録する構成を採用し、履歴の中に、参照データ（資料）の参照記録も含めるようにすれば、アイデアが発想されたときにどのような資料を参照していたかを後に知りたいという要請に対応することができる。
【０００７】
しかし、参照しただけで、アイデアの想起には関連しなかった資料も多数存在するため、すべてを記録すると、どの資料が発想の起因になったのかを判別できず、後の検索も面倒になってしまう。また記録する情報量も増大する。
【０００８】
本発明は、上記の問題を解決しようとするものであり、発想の起因になった参照データを後から容易に把握することのできるデータ処理装置およびプログラムを提供することを目的としている。
【課題を解決するための手段】
【０００９】
かかる目的を達成するための本発明の要旨とするところは、次の各項の発明に存する。
【００１０】
［１］文書の作成に係る入力操作を受ける入力部と、
表示部と、
処理部と、
を備え、
前記処理部は、
作成中の文書を前記表示部に表示する機能と、
文書の作成中に参照データの指定操作を受けると、その指定された参照データを前記文書と共に前記表示部に表示する機能と、
作成中の文書と参照データとを前記表示部に表示している状態で所定の操作を受けたとき、前記参照データの表示後に前記文書に書き込まれた最新の情報の前記文書内での書き込み位置と、前記参照データとを関連付ける紐付け情報を生成する機能と、
作成された文書と前記紐付け情報とを関連付けて所定の記憶装置に保存する機能と、
を有する
ことを特徴とするデータ処理装置。
【００１１】
上記［１］および下記［１２］に係る発明では、作成中の文書と参照データとを表示している状態で所定の操作を受けたとき、その参照データの表示後に該文書に書き込まれた最新の情報の該文書内での書き込み位置と参照データとを関連付ける紐付け情報を生成し、該紐付け情報をその文書と関連付けて記憶する。これにより、文書作成中に参照した参照データのうち、所定の操作を行ったときに表示されていたものだけが、後に参照できるように自動的に関連付けされて記憶される。
【００１２】
［２］前記入力部は、タブレット式の入力装置であり、
前記所定の操作は、所定の入力特性による前記入力装置への書き込み操作である
ことを特徴とする［１］に記載のデータ処理装置。
【００１３】
上記［２］および下記［１３］に係る発明では、タブレット式入力装置へのペンによる書き込み動作が、所定の入力特性（ペンのスピードや太さ、軌跡などを予め定めた特性）と一致する場合に、紐付け情報が生成されて記録される。
【００１４】
［３］前記所定の入力特性は、ペンによる書き込み速度、太さ、色、軌跡の形状のいずれか１つもしくは複数を組み合わせた特性である
ことを特徴とする［２］に記載のデータ処理装置。
【００１５】
［４］前記入力部は、操作キーをさらに備え、
前記所定の操作は、特定のキー操作もしくは特定のキー操作とタブレット式入力装置に対する特定の入力動作との組み合わせである
ことを特徴とする［２］または［３］に記載のデータ処理装置。
【００１６】
上記［４］および下記［１５］に係る発明では、キー入力を、紐付け情報生成の起因になる所定の操作とすることができる。またキー入力とタブレット式入力装置に対する所定の入力動作との組み合わせを、紐付け情報生成の起因になる所定の操作に設定することができる。
【００１７】
［５］前記処理部は、参照データを表示した後に最初の前記所定の操作を受けた場合にのみ、前記紐付け情報を生成する
ことを特徴とする［１］乃至［４］のいずれか１つに記載のデータ処理装置。
【００１８】
［６］前記処理部は、前記紐付け情報が関連付けされた文書を前記表示部に表示する際に、前記紐付け情報が示す参照データを前記表示部に表示すると共に該紐付け情報が関連付けている参照データと書き込み位置とを線で結んで表示する
ことを特徴とする［１］乃至［５］のいずれか１つに記載のデータ処理装置。
【００１９】
上記［６］および下記［１７］に係る発明では、文書を表示する際に、紐付け情報で関連付けされている参照データが表示されると共に、該紐付け情報が関連付けている参照データと書き込み位置とが線で結んで表示される。線で結ぶことでこれらの関連が一目瞭然となる。
【００２０】
［７］前記処理部は、前記紐付け情報が関連付けされた文書を前記表示部に表示する際に、前記紐付け情報が示す参照データを前記表示部に表示すると共に、前記紐付け情報が示す参照データのうちの特定の参照データは他の参照データと異なる表示態様で表示する
ことを特徴とする［１］乃至［６］のいずれか１つに記載のデータ処理装置。
【００２１】
上記［７］および下記［１８］に係る発明では、たとえば、参照データが複数ある場合に、特定の参照データを他の参照データと異なる表示態様で表示することができる。
【００２２】
［８］前記処理部は、閲覧操作に応じて前記表示部に表示した参照データが、保存されている紐付け情報に含まれる参照データである場合は、該参照データを含む紐付け情報に関連付けされている文書を前記表示部に前記参照データと共に表示し、かつ前記紐付け情報で関連付けされている前記参照データと書き込み位置とを線で結んで表示する
ことを特徴とする［１］乃至［７］のいずれか１つに記載のデータ処理装置。
【００２３】
上記［８］および下記［１９］に係る発明では、紐付け情報を利用することで、参照データを基点として、これに関連する文書を表示することができる。
【００２４】
［９］前記表示部の画面上に、入力データ表示エリアと、参照データを表示するための参照データ表示エリアとを形成し、前記入力部からの入力操作で前記入力データ表示エリアに書き込まれた文字や図形の情報を前記文書として保存する
ことを特徴とする［１］乃至［８］のいずれか１つに記載のデータ処理装置。
【００２５】
上記［９］および下記［２０］に係る発明では、入力データ表示エリアに書き込まれた情報が文書として保存される。
【００２６】
［１０］前記書き込み位置の代わりに、前記最新の情報を使用する
ことを特徴とする［１］乃至［９］のいずれか１つに記載のデータ処理装置。
【００２７】
上記［１０］および下記［２１］に係る発明では、書き込み位置に代えて、書き込まれた情報自体と参照データとを関連付けた紐付け情報が生成される。書き込まれた情報に参照データを関連付けしておけば、その情報を表示する際に、関連する参照データを表示することができる。
【００２８】
［１１］前記記憶装置をさらに有する
ことを特徴とする［１］乃至［１０］のいずれか１つに記載のデータ処理装置。
【００２９】
［１２］文書の作成に係る入力操作を受ける入力部と、
表示部と、
処理部と、
を備えたデータ処理装置に、
作成中の文書を前記表示部に表示する機能と、
文書の作成中に参照データの指定操作を受けると、その指定された参照データを前記文書と共に前記表示部に表示する機能と、
作成中の文書と参照データとを前記表示部に表示している状態で所定の操作を受けたとき、前記参照データの表示後に前記文書に書き込まれた最新の情報の前記文書内での書き込み位置と、前記参照データとを関連付ける紐付け情報を生成する機能と、
作成された文書と前記紐付け情報とを関連付けて所定の記憶装置に保存する機能と、
を実行させる
ことを特徴とするプログラム。
【００３０】
［１３］前記入力部は、タブレット式の入力装置であり、
前記所定の操作は、所定の入力特性による前記入力装置への書き込み操作である
ことを特徴とする［１２］に記載のプログラム。
【００３１】
［１４］前記所定の入力特性は、ペンによる書き込み速度、太さ、色、軌跡の形状のいずれか１つもしくは複数を組み合わせた特性である
ことを特徴とする［１３］に記載のプログラム。
【００３２】
［１５］前記入力部は、操作キーをさらに備えており、
前記所定の操作は、特定のキー操作もしくは特定のキー操作とタブレット式入力装置に対する特定の入力動作との組み合わせである
ことを特徴とする［１３］または［１４］に記載のプログラム。
【００３３】
［１６］前記情報処理装置を、前記参照データを表示した後に最初の前記所定の操作を受けた場合にのみ、前記紐付け情報を生成するように動作させる
ことを特徴とする［１２］乃至［１５］のいずれか１つに記載のプログラム。
【００３４】
［１７］前記情報処理装置を、
前記紐付け情報が関連付けされた文書を前記表示部に表示する際に、前記紐付け情報が示す参照データを前記表示部に表示すると共に該紐付け情報が関連付けている参照データと書き込み位置とを線で結んで表示するように動作させる
ことを特徴とする［１２］乃至［１６］のいずれか１つに記載のプログラム。
【００３５】
［１８］前記情報処理装置を、
前記紐付け情報が関連付けされた文書を前記表示部に表示する際に、前記紐付け情報が示す参照データを前記表示部に表示すると共に、前記紐付け情報が示す参照データのうちの特定の参照データは他の参照データと異なる表示態様で表示するように動作させる
ことを特徴とする［１２］乃至［１７］のいずれか１つに記載のプログラム。
【００３６】
［１９］前記情報処理装置を、
閲覧操作に応じて前記表示部に表示した参照データが、保存されている紐付け情報に含まれる参照データである場合は、該参照データを含む紐付け情報に関連付けされている文書を前記表示部に前記参照データと共に表示し、かつ前記紐付け情報で関連付けされている前記参照データと書き込み位置とを線で結んで表示する
ことを特徴とする［１２］乃至［１８］のいずれか１つに記載のプログラム。
【００３７】
［２０］前記情報処理装置を、
前記表示部の画面上に、入力データ表示エリアと、参照データを表示するための参照データ表示エリアとを形成し、前記入力部からの入力操作で前記入力データ表示エリアに書き込まれた文字や図形の情報を前記文書として保存するように動作させる
ことを特徴とする［１２］乃至［１９］のいずれか１つに記載のプログラム。
【００３８】
［２１］前記書き込み位置の代わりに、前記最新の情報を使用する
ことを特徴とする［１２］乃至［２０］のいずれか１つに記載のプログラム。
【発明の効果】
【００３９】
本発明に係るデータ処理装置およびプログラムによれば、文書に書き込まれたアイデアなどの情報を発想する起因になった参照データを、後から容易に把握することができる。
【図面の簡単な説明】
【００４０】
【図１】本発明に係るデータ処理装置としてのタブレット式デバイスの概略を示す説明図である。
【図２】本発明の実施の形態に係るタブレット式デバイスの電気的構成を示すブロック図である。
【図３】本発明の実施の形態に係るタブレット式デバイスにおける文書作成工程の一例を示す説明図である。
【図４】文書作成工程におけるタブレット式デバイスの動作を示す流れ図である。
【図５】入力特性設定処理を示す流れ図である。
【図６】手書き入力のストローク特性を入力特性とする場合の設定パラメータ例を示す表である。
【図７】検知されるストローク特性の一例を示す説明図である。
【図８】キー入力の場合の入力特性の設定パラメータの一例を示す表である。
【図９】参照データが紐付けされて記録される場合の入力作業例であって入力特性が手書き入力の場合を示す説明図である。
【図１０】手書き入力を起因に生成された紐付け情報の一例を示す説明図である。
【図１１】参照データが紐付けされて記録される場合の入力作業例であって入力特性がキー入力の場合を示す説明図である。
【図１２】キー入力を起因に生成された紐付け情報の一例を示す説明図である。
【図１３】保存されているページに紐付けされている参照データを表示する場合の動作を示す流れ図である。
【図１４】保存されているページに紐付けされている参照データを表示する場合の動作例を示す説明図である。
【図１５】参照ページの表示態様を変更する各種の例を示す説明図である。
【図１６】参照データから、当該参照データと紐付け情報によって関連付けされているページ（文書）を呼び出して表示する動作を示す流れ図である。
【図１７】図１６に対応した説明図である。
【図１８】設定された入力特性と一致する書き込み動作が参照データの表示後に複数回あった場合の表示画面例と作成される紐付け情報の一例を示す説明図である。
【発明を実施するための形態】
【００４１】
以下、図面に基づき本発明の実施の形態を説明する。
【００４２】
図１は、本発明に係るデータ処理装置としてのタブレット式デバイス１０の概略を示している。
【００４３】
タブレット式デバイス１０は、表示部１１を有すると共に、該表示部１１の画面上は、ペン５の接触位置を検出するタブレット１７ａになっている。タブレット式デバイス１０では、表示部１１の画面上に手書きすることで、文字や図形などの情報を入力することができる。また、キーボード１７ｂを接続すれば、キーボード１７ｂから文字等を入力することも可能に構成されている。
【００４４】
タブレット式デバイス１０は、表示部１１の画面上に設定される入力データ表示エリアを１ページとして、該入力データ表示エリアの表示内容をページ単位に自動保存する機能を備えている。図１では表示部１１の画面全体が入力データ表示エリアとなっている。
【００４５】
図２は、タブレット式デバイス１０の電気的構成を示すブロック図である。タブレット式デバイス１０は、当該タブレット式デバイス１０の動作を統括制御する処理部としてのＣＰＵ（Central Processing Unit）１２に、バスを介して、ＲＯＭ（Read Only Memory）１３と、ＲＡＭ（Random Access Memory）１４と、不揮発メモリ１５と、ハードディスク装置１６と、表示部１１と、入力装置１７と、ネットワーク通信部１８と、入出力Ｉ／Ｆ１９とを接続して構成される。入力装置１７は、前述したように、タブレット１７ａやキーボード１７ｂなどで構成される。
【００４６】
ＲＯＭ１３には各種プログラムや固定データが格納され、ＣＰＵ１２がこれらのプログラムに従って各種の処理を実行することでタブレット式デバイス１０として各機能が実現される。ＲＡＭ１４はＣＰＵ１２がプログラムを実行する際に各種のデータを一時的に格納するワークメモリや表示データを一時記憶するメモリとして使用される。
【００４７】
不揮発メモリ１５は、電源をオフしてもその記憶内容が保持される書き換え可能なメモリであり、タブレット式デバイス１０に対して設定された各種の設定値などが記憶される。ハードディスク装置１６は、大容量不揮発の記憶装置であり、たとえば、文書（保存データ）や後述する紐付け情報の保存に利用される。
【００４８】
表示部１１は液晶ディスプレイなどで構成される。入力装置１７は、前述したタブレット１７ａやキーボード１７ｂである。そのほか各種の操作スイッチを入力装置１７として設けてもよい。
【００４９】
ネットワーク通信部１８は、ＬＡＮ（Local Area Network）やインターネットなどを通じて外部端末や各種サーバに接続して通信する機能を果たす。
【００５０】
入出力Ｉ／Ｆ１９は、接続された外部装置との各種データの入出力に利用される。たとえば、外付け式の記憶装置が接続される。
【００５１】
図３は、タブレット式デバイス１０における文書作成作業の一例を示している。文書作成作業の開始時は表示部１１の画面全体が入力データ表示エリア３１に設定される（Ｐ１）。入力データ表示エリア３１には、該エリアにペン５で書き込まれた文字や図形のほかキーボード１７ｂから入力された内容が表示される。本タブレット式デバイス１０では、入力データ表示エリア３１を１つのページとして扱い、ページを更新する、あるいは入力ページを閉じて入力操作を終了する毎に、入力データ表示エリア３１の表示内容（書き込まれた内容）がページ単位に自動保存される。
【００５２】
入力データ表示エリア３１の右上部分には、参照データ表示釦３２が表示される。参照データ表示釦３２を押下すると、表示部１１の画面の右半分は参照データ表示エリア３３に切り替わる（Ｐ２）。参照データ表示エリア３３には、ハードディスク装置１６等に保存されているデータ（ファイル）を参照データとして表示させる際に押下するフォルダ釦３４と、Ｗｅｂ（World Wide Web）のＨＴＭＬ（Hyper Text Markup Language）ページ等を参照データとして表示させる際に押下するＷｅｂ釦３５が表示される。
【００５３】
フォルダ釦３４またはＷｅｂ釦３５を押下した後、表示対象の参照データを指定して参照データにアクセスすると、その参照データが参照データ表示エリア３３に表示される（Ｐ３）。別の参照データをさらに指定することで、複数の参照データを表示させることができる（Ｐ４）。複数表示させた場合、参照データは、参照データ表示エリア３３の上から下に、時間軸で新しく表示させたものから順に並べて表示される。一番新しく表示したものは参照データ表示エリア３３の最上位に表示される。この例（Ｐ４）では、Ｗｅｂページ３６が一番新しく表示した参照データとなっている。
【００５４】
参照データを表示した状態で、入力データ表示エリア３１にペン５等を使用して予め設定した入力特性（ペンの移動スピードや色、軌跡の形状など）で文字・図形などのデータを入力する（書き込む）と、その入力前に表示した最新の参照データとデータの入力位置（書き込み位置）とが関連付けて記憶される。たとえば、参照データとしてＷｅｂページ３６を表示した後、所定の入力特性に一致する曲線３７をペン５で書き込むと、曲線３７の書き出し位置３８が入力位置（書き込み位置）となり、該入力位置とＷｅｂページ３６とを関連付ける紐付け情報が生成される。生成した紐付け情報は、たとえば、入力データ表示エリア３１の表示内容を文書として保存する際に、該文書に関連付けて記憶される。
【００５５】
図４は、文書作成作業におけるタブレット式デバイス１０の動作の流れを示している。文書作成作業を開始すると、入力データ表示エリア３１が表示部１１に表示される（ステップＳ１０１）。
【００５６】
その後、入力特性を設定する指示をユーザから受けると（ステップＳ１０２；Ｙｅｓ）、入力特性の設定処理を行い(ステップＳ１０４)、ステップＳ１０５へ移行する。入力特性の設定処理では、紐付け情報を生成する起因（トリガー）となる操作の内容を設定する。たとえば、ペンの移動スピードや色、軌跡の形状、特定の文字の入力や特定のキー操作もしくはこれらの組み合わせを入力特性として設定する。入力特性の設定処理の詳細は後述する。
【００５７】
入力特性を設定する指示をユーザから受けない場合は（ステップＳ１０２；Ｎｏ）、入力特性が設定済みか否かを調べ（ステップＳ１０３）、設定済みでなければ（ステップＳ１０３；Ｎｏ）、ステップＳ１１３へ移行する。入力特性設定済みであれば（ステップＳ１０３；Ｙｅｓ）、ステップＳ１０５へ移行する。
【００５８】
ステップＳ１０５では、入力データ表示エリア３１へのデータの入力の有無を調べ、入力があれば（ステップＳ１０５；Ｙｅｓ）、その入力データを表示し（ステップＳ１０６）、ステップＳ１０２へ戻って処理を継続する。また、データの入力がない場合は(ステップＳ１０５；Ｎｏ)、参照データを開く操作の有無を調べ(ステップＳ１０７)、参照データを開く操作がない場合は（ステップＳ１０７；Ｎｏ)、ステップＳ１０２に戻って処理を継続する。
【００５９】
参照データを開く操作を受けた場合は（ステップＳ１０７；Ｙｅｓ）、指定された参照データを参照データ表示エリア３３に表示する（ステップＳ１０８）。そして、該参照データが一番新しい参照データとして表示されている間に入力データ表示エリア３１へのデータの入力があるか否かを調べ（ステップＳ１０９）、その間に、入力がなければ（ステップＳ１０９；Ｎｏ）、ステップＳ１０２へ戻って処理を継続する。
【００６０】
参照データを表示している間にデータの入力があれば（ステップＳ１０９；Ｙｅｓ）、入力されたデータを入力データ表示エリア３１に表示し(ステップＳ１１０)、今回のデータの入力特性が、設定されている入力特性と一致するか否かを判定する（ステップＳ１１１）。不一致の場合は（ステップＳ１１１；Ｎｏ）、ステップＳ１０２に戻って処理を継続する。一致する場合は（ステップＳ１１１；Ｙｅｓ）、参照データと今回入力されたデータの表示位置（書き込み位置）とを関連付けた紐付け情報を生成して内部的に記録する（ステップＳ１１２）。その後、入力データ表示エリア３１に入力中のページを閉じる操作を受けたか否かを調べ（ステップＳ１１３）、閉じる操作を受けていない場合は（ステップＳ１１３；Ｎｏ）ステップＳ１０２に戻って処理を継続する。
【００６１】
閉じる操作を受けた場合は（ステップＳ１１３；Ｙｅｓ）、入力データ表示エリア３１の表示内容を１つのページ（文書）として保存する。この際、ステップＳ１１２で作成されたすべての紐付け情報を該ページ(文書)と関連付けて保存し(ステップＳ１１４)、本処理を終了する。なお、文書の保存とは別に、紐付け情報を生成する毎にその紐付け情報が保存されるように構成してもよい。
【００６２】
次に、入力特性の設定について説明する。
【００６３】
図５は、入力特性設定処理の流れを示している。
まず、ユーザからデータの入力手段の選択、すなわち、ペン５によるタブレット１７ａからの手書き入力か、キーボード１７ｂによるキー入力かの選択を受ける（ステップＳ２０１）。
【００６４】
手書き入力が選択された場合は（ステップＳ２０１；手書き）、続いて、入力特性に設定したい項目の指定を受ける（ステップＳ２０２）。
【００６５】
スピード設定が指定された場合は（ステップＳ２０２；Ａ）、ペン５の移動スピードの設定を受けて（ステップＳ２０３）ステップＳ２０７へ移行する。ペンの太さ設定が指定された場合は（ステップＳ２０２；Ｂ）、ペン５の太さの設定を受けて（ステップＳ２０４）ステップＳ２０７へ移行する。ペンの色が指定された場合は（ステップＳ２０２；Ｃ）、ペン５の色の設定を受けて（ステップＳ２０５）ステップＳ２０７へ移行する。軌跡の設定が指定された場合は（ステップＳ２０２；Ｄ）、ペン５の軌跡の設定を受けて（ステップＳ２０６）ステップＳ２０７へ移行する。
【００６６】
ステップＳ２０７では、ユーザから設定内容の確認を受け付け、確認されない場合は（ステップＳ２０７；Ｎｏ）、ステップＳ２０２に戻る。確認されると（ステップＳ２０７；Ｙｅｓ）、ステップＳ２１２へ移行する。
【００６７】
キー入力が選択された場合は（ステップＳ２０１；キー入力）、キー入力としての入力特性に設定したい項目の指定を受ける（ステップＳ２０８）。押下するキーの設定が指定された場合は（ステップＳ２０８；Ａ）、押下するキーの設定操作を受けて（ステップＳ２０９）ステップＳ２１１へ移行する。押下と組み合わせる動作の設定が指定された場合は（ステップＳ２０８；Ｂ）、押下と組み合わせる動作の設定操作を受けて（ステップＳ２１０）ステップＳ２１１へ移行する。ステップＳ２１１では、ユーザから設定内容の確認を受け付け、確認されない場合は（ステップＳ２１１；Ｎｏ）、ステップＳ２０８に戻る。確認されると（ステップＳ２１１；Ｙｅｓ）、ステップＳ２１２へ移行する。
【００６８】
ステップＳ２１２では、ステップＳ２０７もしくはステップＳ２１１で確認した入力特性を決定するか否かの選択をユーザから受け付け、決定しないとの選択を受けた場合は（ステップＳ２１２；Ｎｏ）、ステップＳ２０１に戻って再設定を受ける。決定するとの選択を受けた場合は（ステップＳ２１２；Ｙｅｓ）、設定された入力特性を有効な入力特性として記憶し、本処理を終了する。
【００６９】
図６は、手書き入力のストローク特性を入力特性とする場合の設定パラメータ例を示している。入力特性は、図７に示すように、ペン５がタブレット１７ａに接触してから離れるまでの間のストローク特性が対象となる。すなわち、接触開始箇所Ｗ１から接触終了箇所Ｗ２までの間に検知されたペン５のスピード、ペンの太さ、ペンの色、描いた軌跡などを要素とするストローク特性が検知され、これが図６に示す入力特性と一致するか否かが判定される。
【００７０】
なお、図６に示すようにペン５のスピード、ペンの太さ、ペンの色、描いた軌跡などを数値等で設定するほか、たとえば、入力特性の設定モードを設け、該モードでタブレット１７ａに書き込まれたストローク特性を検知し、これを入力特性として自動的に設定するように構成されてもよい。
【００７１】
図８は、キー入力の場合の入力特性の設定パラメータの一例を示している。押下するキーとしては、特定の文字、記号、特定のキー（本例ではShitキー）などを設定することができる。押下するキーは複数のキーの連続操作としてもよい。たとえば、特定の文字列を設定可能としてもよい。押下と組み合わせる動作は、手書きによる所定の文字・図形などの入力動作、キーにより入力した文字などの拡大や縮小操作、ページを捲る操作などを設定することができる。押下するキーの設定と所定の動作との組み合わせを入力特性とすることで、単なるキー入力では生じ難い入力特性を設定することができる。
【００７２】
図９は、参照データが紐付けされて記録される場合の入力作業例を示している。本例では、入力特性として、「手書き入力」が選択され、入力特性表４１に示す内容が設定されている。入力特性表４１に従えば、たとえば、太さ１ポイントの赤色のペンでさらさらと書いているとき、設定された入力特性と一致する入力特性（ストローク特性）であると判断される。
【００７３】
該設定状態でユーザは、入力データ表示エリア３１において「タブレット」の文字を書き込み、その後、参照データ表示エリア３３にＷｅｂページ３６を参照データとして表示させている（Ｐ１１）。
【００７４】
Ｗｅｂページ３６は、参照データ表示エリア３３に表示された最新の参照データとなっている。この状態で、ユーザがペン５によって手書き入力すると（Ｐ１２）、その入力特性が検知され、該入力特性が入力特性表４１に設定されている入力特性と一致するか否かが判定される。
【００７５】
入力特性が一致すると、最も新しく開いた参照データ（Ｗｅｂページ３６）と、直前に入力されたデータ（判定の対象にされたデータ）の書き込み位置４２（表示位置）とを関連付けた紐付け情報を生成して記録する。
【００７６】
図１０は、図９（Ｐ１３）の書き込みによって生成された紐付け情報５０の一例を示している。入力データ表示エリア３１にＸＹ座標を設定し、入力されたデータの表示位置（書き込み開始位置）の該ＸＹ座標上での座標位置を取得する。本例では、入力データ表示エリア３１（表示部１１の画面全体）の左上を原点とし、原点より右方向を＋とするＸ軸と、原点より下方向を＋とするＹ軸とを設定してある。入力データ表示エリア３１においてＸ座標の取り得る範囲は（０〜３００）、Ｙ座標の取り得る範囲は（０〜２００）となっている。本例の書き込み位置４２のＸＹ座標位置は（１０、１５０）となっている。
【００７７】
紐付け情報５０は、入力データ表示エリア３１に表示されているページのページ名と、書き込み位置４２のＸＹ座標位置と、設定項目（設定されている入力特性）と、参照データのリンク情報とを組み合わせた情報であり、これらを互いに関連付ける。
【００７８】
たとえば、何らかの発想に関する書き込み動作の入力特性に共通性がある場合、その入力特性を判定基準の入力特性に設定しておくことで、ユーザが何らかの発想に関する書き込みを行ったとき、その書き込み位置とそのとき参照していた参照データとを関連付けた紐付け情報５０が自動的に生成されて記録される。すなわち、何らかの発想に関する書き込み動作をユーザが行えば、ユーザが無意識のうちに、そのとき表示されていた参照データを関連付ける紐付け情報が自動生成される。
【００７９】
より具体例を示すと、円形の物品に関するデザインを考える作業においては、まず、円を描いてから内部のデザインを記述することになる。そのため、何らかの資料を参照して新たなデザインを思いついたときは、まず、円形を描くことが、その発想した新たなデザインを書き留める作業の開始行為になる。そこで、手書きによる円形の軌跡を判定基準の入力特性に設定しておけば、参照データを開いた後に円形の軌跡が手書き入力されたとき、その手書きされた位置とそのときの参照データとを関連付けた紐付け情報が自動生成される。したがって、作業者は、紐付け情報を記録するための特別な操作を行うことなく、円形に係るデザイン作業を行うだけで、発想の取っ掛かりになった参照データを関連付ける紐付け情報を自動的に残すことができる。
【００８０】
また、発想の取っ掛かりとなった参照データに係る紐付け情報だけを自動的に記録するので、参照した参照データをすべて保存するような場合に比べて、発想の取っ掛かりとなった参照データを後に検索する際の作業が容易になる。また保存するデータ量も削減される。
【００８１】
図１１は、参照データが紐付けされて記録される場合の入力作業の他の例を示している。本例では、入力特性として「キー入力」が選択されて、入力特性表４４に示す内容が判定基準の入力特性に設定されている。たとえば、「Ｐｏｗｅｒ」と入力した場合に紐付け情報が記録されるようにする場合、頭文字の「Ｐ」を、押下するキーに設定し、かつ、「表示されたデータを拡大する」を、押下するキーと組み合わせる動作に設定する。これにより、「Ｐ」がキー入力され、その後、その文字が拡大操作された場合に、設定された入力特性と一致すると判断される。
【００８２】
たとえば、該設定状態でユーザは、入力データ表示エリア３１において入力作業を行う。また、参照データ表示エリア３３にハードディスク装置１６（Ｃドライブとする）に保存してあるデータ４５を表示させる（Ｐ２１）。
【００８３】
データ４５は、参照データ表示エリア３３に表示された最新の参照データとなっている。この状態で、ユーザがキーボード１７ｂから「Ｐｏｗｅｒ」とキー入力すると（Ｐ２２）、入力データ表示エリア３１にその文字列が表示される。さらにその後、表示された文字列を拡大する操作が行われると（Ｐ２３）、入力特性表４４に設定されている入力特性と一致する入力特性が検出され、最も新しく開いた参照データ（データ４５）と、直前に入力されたデータ「Ｐ」の書き込み位置４６（表示位置）とを関連付けた紐付け情報が生成されて記録される。
【００８４】
図１２は、図１１（Ｐ２３）にて生成された紐付け情報５２の一例を示している。入力データ表示エリア３１に設定するＸＹ座標については図１０と同様である。文字「Ｐ」の書き込み位置４６のＸＹ座標位置は（２０、１３０）となっている。
【００８５】
紐付け情報５２は、入力データ表示エリア３１に表示されているページ名と、書き込み位置４６のＸＹ座標位置と、設定項目（設定されている入力特性）と、参照データのリンク情報とを組み合わせたものであり、これらを互いに関連付けている。
【００８６】
キー入力の場合においても、発想の取っ掛かりとなった参照データに係る紐付け情報だけを自動的に記録するので、参照された参照データをすべて保存する場合に比べて、発想の取っ掛かりとなった参照データを後に検索する際の作業が容易になる。また保存するデータ量も削減される。
【００８７】
次に、保存された文書（ページ）の保存データを基点としてその文書に紐付けされている参照データを表示する場合の動作について説明する。
【００８８】
図１３は、保存されているページ（保存データ）を基点として該ページに紐付けされている参照データを表示する場合の動作の流れを示している。図１４はそのときの表示状態例などを示している。タブレット式デバイス１０のＣＰＵ１２は、保存データを表示するための所定の操作を受けると、表示対象に指定された保存データに基づき、該保存データに対応するページ６１をタブレット式デバイス１０の表示部１１に表示する（図１３：ステップＳ３０１、図１４：Ｐ３１）。この際、参照情報の表示釦６２が表示される（図１４：Ｐ３１参照）。
【００８９】
ＣＰＵ１２は、参照情報の表示釦６２の押下操作を受けない場合(ステップＳ３０２；Ｎｏ)、本処理を終了する。
【００９０】
参照情報の表示釦６２（図１４：Ｐ３１参照）の押下操作を受けた場合は（ステップＳ３０２；Ｙｅｓ）、表示中のページの保存データに関連付けされている紐付け情報を読み出す。図１４の例では、表示中のページの保存データに対して、図９、図１０で記憶した紐付け情報５０と、図１１、図１２で記憶した紐付け情報５２とが関連付け保存されている。
【００９１】
タブレット式デバイス１０の表示部１１は、これらの紐付け情報５０、５２に登録されている参照データを表示する（ステップＳ３０３、図１４：Ｐ３２参照）。具体的には各紐付け情報５０、５２に登録されているリンク情報が示す場所から参照データを読み出し、該参照データと保存データに対応するページと表示部１１に同時に表示する（図１４：Ｐ３２参照）。この際、紐付け情報において関連付けされている参照データと表示位置(書き込み位置)とを線で結んで表示する。また、参照データが紐付け情報として記録されたときの入力特性を同時に表示する。
【００９２】
このように、表示したページの保存データに関連付けされている紐付け情報に基づいて参照データを表示するので、後からでも入力データの表示位置と参照データとを関連付けて閲覧することができ、発想の過程を把握することができる。
【００９３】
図１３に戻って説明を続ける。ＣＰＵ１２は、参照データを表示した状態で、参照データの表示態様に関する所定の操作を受けると（ステップＳ３０４；Ｙｅｓ）、参照データの表示態様を変更する(ステップＳ３０５)。該変更後、もしくは表示態様に関する操作を受けない場合は（ステップＳ３０４；Ｎｏ）、参照データの表示を閉じる操作を受けたか否かを判断し（ステップＳ３０６）、閉じる操作を受けない場合は（ステップＳ３０６；Ｎｏ）ステップＳ３０２に戻って処理を継続し、閉じる操作を受けた場合は（ステップＳ３０６；Ｙｅｓ）、本処理を終了する。
【００９４】
表示態様の変更操作には、たとえば、入力特性が特定のものだけを選択表示させる、特定された参照データを大きく表示する、特定された参照データに枠を付けて表示するなどがある。入力特性が特定のものだけを選択表示する例としては、紐付け情報を記録したときに設定されていた入力特性が手書き入力であるもののみとする、あるいはキー入力であるもののみとする、などがある。
【００９５】
図１５に示す表示画面（Ｐ３３）では、図１３の（Ｐ３２）に対して、入力特性が「手書き入力」のものだけを表示するように操作した場合の表示例である。表示画面（Ｐ３４）は、表示箇所を押下するなどの操作によって特定された参照データ３６だけを拡大表示した例である。表示画面（Ｐ３５）は、特定された参照データ３６に枠を付して表示した例を示している。表示態様はこれら例示したものに限定されない。
【００９６】
次に、参照データを基点とし、当該参照データと紐付け情報で関連付けされているページ（文書）を呼び出して表示する場合の動作について説明する。
【００９７】
図１６は、参照データを基点として、当該参照データと紐付け情報で関連付けされているページ（文書）を呼び出して表示する動作の流れを示している。図１７は、図１６に対応した説明図である。タブレット式デバイス１０のＣＰＵ１２は、ユーザから所定の操作を受けると、該操作で指定された参照データを表示部１１に表示する（ステップＳ４０１）。たとえば、「お気に入り」に登録してある参照データを呼び出して表示する。図１７の例では、Ｗｅｂページ３６とする。
【００９８】
次に、表示した参照データに一致するリンク情報を含む紐付け情報を、保存されているすべての紐付け情報の中から検索して抽出する（ステップＳ４０２）。図１７では、保存されている紐付け情報群５６の中から、Ｗｅｂページ３６のリンク情報を含んでいる紐付け情報５７と紐付け情報５８が抽出される。
【００９９】
参照ページを表示した画面上には、関連する保存データの表示を指示する関連ページ表示釦６３が表示されており（図１７：Ｐ４１参照）、該関連ページ表示釦６３の押下操作を受けない場合は(ステップＳ４０３；Ｎｏ)、ステップＳ４０５へ移行する。関連ページ表示釦６３の押下操作を受けた場合は（ステップＳ４０３；Ｙｅｓ）、ステップＳ４０２で抽出した紐付け情報に関連付けされている文書（ページ）を表示部１１に表示する（ステップＳ４０４）。図１７の表示画面（Ｐ４１）の例では、参照データであるＷｅｂページ３６と共に、関連ある文書としてページ１とページ８が表示されている。なお、参照データと各ページとは線で結んで表示される。
【０１００】
その後、参照データの表示を閉じる操作を受けるまで表示を継続し（ステップＳ４０５；Ｎｏ）、閉じる操作を受けると（ステップＳ４０５；Ｙｅｓ）、表示処理を終了する。
【０１０１】
このように、参照データを基点にして、当該参照データと紐付け情報で関連付けされているページ（文書）を呼び出して表示することができるので、この参照データからどのような発想が生み出されたかを、後から容易に認識することができる。
【０１０２】
なお、図１４の表示画面（Ｐ３２）のように、文書（ページ）を基点としてこれに関連する参照データを表示し、次に、この表示された参照データを基点にして、この参照データと紐付け情報によって関連付けされているページ（文書）を呼び出して、図１７のＰ４１のような表示画面へ遷移できるように構成してもよい。たとえば、図１４の表示画面（Ｐ３２）においてＷｅｂページ３６を押下すると、Ｗｅｂページ３６が拡大されると共に画面の右下に関連ページ表示釦６３が表示され、該関連ページ表示釦６３を押下すると、図１７の表示画面（Ｐ４１）へ遷移する、というように、表示処理の連続性を持たせてもよい。
【０１０３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０４】
実施の形態では、参照データを表示した後、設定された入力特性に一致する最初の書き込み動作があったとき、紐付け情報を生成するようにしたが、参照データを表示した後、最初の書き込みだけに限定せず、入力特性が一致したすべての書き込み動作のそれぞれで紐付け情報を生成して記憶するように構成されてもよい。
【０１０５】
図１８は、設定された入力特性と一致する書き込み動作が参照データの表示後に複数回あった場合の表示画面例とそれに対して作成される複数の紐付け情報の例を示している。Ｗｅｂページ３６を表示した後の、設定された入力特性と入力特性が一致する一度目の書き込み７１に対して紐付け情報７５が生成される。その後、そのＷｅｂページ３６を表示した状態のままで、入力特性が一致する二度目の書き込み７２に対して紐付け情報７６が生成されている。図下部の表示画面（Ｐ５１）は、後に対応する文書（Ｐａｇｅ１）を表示し、参照情報の表示釦６２を操作したときの表示例を示している。
【０１０６】
また、紐付け情報を生成する起因となる操作は、入力特性の一致に限定されるものではなく、何らかの特定の操作でよい。たとえば、特定のキー操作が行われたとき、特定の文字列が入力されたとき、予め設けた紐付け指示釦が押下されたときなどでもよい。この場合、起因となる特定の操作が行われた時点で表示されている最新の参照データと、この参照データを表示後に行われた最新の書き込み動作の書き込み位置（起因となる操作が生じる直前の書き込み動作の書き込み位置）とを関連付けた紐付け情報を生成すればよい。
【０１０７】
実施の形態では、入力データ表示エリア３１の表示内容をページ単位に文書（保存データ）として記憶する例を示したが、複数ページを１つの文書としてもよい。また、１ページは、入力データ表示エリア３１の表示エリアに限定されない。たとえば、スクロール可能にすれば、入力データ表示エリア３１の表示範囲を超える縦長の範囲を１ページとしてもよい。
【０１０８】
このように、入力データ表示エリア３１の表示範囲を超える範囲を１ページとしたり、複数ページを１つの文書として保存したりするような場合には、紐付け情報に登録する書き込み位置として、文書の先頭（たとえば、文書の左上端、保存データの先頭）を原点とした座標位置を使用すればよい。複数ページを１つの文書とする場合、紐付け情報に登録する書き込み位置は、ページ番号とそのページ内での座標位置としてもよい。このように、画面上の位置ではなく、データ上の位置を記憶するようにすれば、長尺ページや複数ページ、さらには表示を拡大した場合などにも柔軟に対応することができる。
【０１０９】
紐付け情報において書き込み位置（表示位置）と参照データとを関連付ける代わりに、書き込まれた情報自体と参照データとを関連付けてもよい。たとえば、設定された入力特性と入力特性の一致した書き込みの内容（文書内のオブジェクトや文字例）と参照データとを関連付けてもよい。文書内の文字列やオブジェクトを特定すれば、その文字列やオブジェクトの表示位置が分かるので、文字列やオブジェクトとその文字列やオブジェクトに紐付け情報で関連付けされている参照データとを線で結んで表示する等も可能である。
【０１１０】
なお、タブレットは液晶画面式のものに限定されない、表示部１１と別に構成されてもよい。さらには、本発明のデータ処理装置はタブレット式デバイスに限定されない。入力装置としてキーボードやマウスなどを使用するパーソナルコンピュータなどの情報処理装置に所定のプログラムをインストールして構成されてもよい。
【０１１１】
紐付け情報や文書を記憶する記憶装置は、タブレット式デバイス１０が内蔵するものに限定されず、外付けの記憶装置でもよいし、ネットワークを介して通信で接続される記憶装置でもかまわない。
【０１１２】
本発明のデータ処理装置は、汎用のタブレット式デバイスやパーソナルコンピュータなどの情報処理装置に所定のプログラムをインストールして構成されてもよい。
【０１１３】
実施の形態では、入力特性の設定を文書作成処理の中で行うようにしたが（図４の処理のステップＳ１０４）、文書作成とは別の場面で入力特性を設定するように構成されてもよい。たとえば、メニューから入力特性の設定を選択すると、入力特性の設定が可能となるように構成してもよい。
【０１１４】
また、実施の形態の図１０などに示す紐付け情報では、紐付け情報の中に保存データ（文書）の情報（Ｐａｇｅ１など）を含めることで、紐付け情報と文書との関連付けを行ったが、文書と紐付け情報とを関連付けるための情報は紐付け情報の外に出してもよい。たとえば、紐付け情報に識別番号を割リ当て、各紐付け情報の識別番号と文書とを関連付けて保存するように構成されてもよい。
【０１１５】
実施の形態では、アイデアや発想を書き留める文書を例に説明したが、本発明が対象とする文書はこれに限定されるものではない。たとえば、文書に参照データとしての挿絵を設定する場合などにも適用できる。こうすれば、文書を表示する際に、表示されているページに対応した挿絵を自動的に表示することができる。
【符号の説明】
【０１１６】
５…ペン
１０…タブレット式デバイス
１１…表示部
１２…ＣＰＵ
１３…ＲＯＭ
１４…ＲＡＭ
１５…不揮発メモリ
１６…ハードディスク装置
１７…入力装置
１７ａ…タブレット
１７ｂ…キーボード
１８…ネットワーク通信部
１９…入出力Ｉ／Ｆ
３１…入力データ表示エリア
３２…参照データ表示釦
３３…参照データ表示エリア
３４…フォルダ釦
３５…Ｗｅｂ釦
３６…Ｗｅｂページ
３７…曲線
３８…書き出し位置
４１…手書き入力の入力特性表
４２…書き込み位置
４４…キー入力の入力特性表
４５…データ（参照データ）
４６…書き込み位置
５０、５２、５７、５８…紐付け情報
５６…紐付け情報群
６１…保存データに対応するページ
６２…参照情報の表示釦
６３…関連ページ表示釦
７１、７２…書き込み
７５、７６…紐付け情報
Ｗ１…接触開始箇所
Ｗ２…接触終了箇所
【図１】
2012173988.tif 000003
【図２】
2012173988.tif 000004
【図４】
2012173988.tif 000005
【図５】
2012173988.tif 000006
【図６】
2012173988.tif 000007
【図８】
2012173988.tif 000008
【図１０】
2012173988.tif 000009
【図１２】
2012173988.tif 000010
【図１３】
2012173988.tif 000011
【図１６】
2012173988.tif 000012
【図３】
2012173988.tif 000013
【図７】
2012173988.tif 000014
【図９】
2012173988.tif 000015
【図１１】
2012173988.tif 000016
【図１４】
2012173988.tif 000017
【図１５】
2012173988.tif 000018
【図１７】
2012173988.tif 000019
【図１８】
2012173988.tif 000020